(57)【要約】【課題】  通信品質のよい光ファイバ伝送システムおよび光伝送方法を提供する。【解決手段】  トレーニングモードにおいて、フィルタ係数決定部６３は、適応アルゴリズムを用いて、フィルタ係数ｗi（ｎ）を決定する。データ通信モードにおいて、ＦＩＲフィルタ−６１は、決定されたフィルタ係数ｗi（ｎ）を用いて、擬似エコー信号ｙ（ｎ）を生成する。減算器３８は、アナログ／デジタル変換器３６からの下り方向のｘＤＳＬ信号から擬似エコー信号ｙ（ｎ）を減算する。これにより、アナログ／デジタル変換器３６からの下り方向のｘＤＳＬ信号に混入したエコー信号が除去される。したがって、オーバーラップ・ｘＤＳＬ方式を用いた光ファイバ伝送システムにおいて、通信品質の劣化が防止される。【選択図】        図５
2006196999.tif 000002
【特許請求の範囲】
【請求項１】
第１および第２のＤＳＬ装置を接続するメタリックケーブルの一部区間を光ファイバで置換し、前記光ファイバの一方端と第１のＤＳＬ装置側のメタリックケーブルとの間に第１の光伝送装置を設け、前記光ファイバの他方端と第２のＤＳＬ装置側のメタリックケーブルとの間に第２の光伝送装置を設けた光ファイバ伝送システムにおいて、
前記第１および第２の光伝送装置のうちの少なくとも一方は、
相手側の光伝送装置から受けた受信信号が対応するＤＳＬ装置から受けた送信信号に混入するエコー信号を予め推定し、擬似エコー信号を生成するエコーキャンセラ、および
前記送信信号から前記擬似エコー信号を減算して、前記送信信号に混入したエコー信号を除去する減算器を備えることを特徴とする、光ファイバ伝送システム。
【請求項２】
前記第１および第２の光伝送装置のうちの少なくとも一方は、
さらに、相手側の光伝送装置から前記光ファイバを介して受けた前記受信信号を光／電気変換する光／電気変換器、
前記光／電気変換器の出力信号をデジタル／アナログ変換するデジタル／アナログ変換器、
前記デジタル／アナログ変換器の出力信号をメタリックケーブルを介して対応するＤＳＬ装置に与えるとともに、対応するＤＳＬ装置からメタリックケーブルを介して前記送信信号を受けるハイブリッド回路、
前記ハイブリッド回路から前記送信信号を受けてアナログ／デジタル変換するアナログ／デジタル変換器、および
前記アナログ／デジタル変換器の出力信号を前記減算器を介して受け、電気／光変換して前記光ファイバを介して相手側の光伝送装置に与える電気／光変換器を備え、
前記エコーキャンセラは、
所定の周波数帯域を有するトレーニング信号を生成して、前記デジタル／アナログ変換器に出力するトレーニング信号発生部、
前記トレーニング信号に基づいて、前記減算器の出力信号のレベルが最小になるように、適応アルゴリズムを用いてフィルタ係数を算出するフィルタ係数決定部、および
算出された前記フィルタ係数を用いて、前記擬似エコー信号を生成するデジタルフィルタを含む、請求項１に記載の光ファイバ伝送システム。
【請求項３】
前記第１および第２の光伝送装置のうちの少なくとも一方は、さらに、前記光／電気変換器と前記デジタル／アナログ変換器との間に設けられ、前記フィルタ係数を算出するトレーニングモードにおいて、前記トレーニング信号発生部の出力信号を前記デジタル／アナログ変換器に与えるとともに、光／電気変換器の出力信号を遮断し、前記送信信号に混入したエコー信号を除去するデータ通信モードにおいて、光／電気変換器の出力信号を前記デジタル／アナログ変換器に与えるとともに、前記トレーニング信号発生部の出力信号を遮断するスイッチ回路を含む、請求項２に記載の光ファイバ伝送システム。
【請求項４】
前記エコーキャンセラは、さらに、対応するＤＳＬ装置から送信される初期化信号のデータを予め記憶し、前記トレーニングモードにおいて、前記トレーニング信号に混入した前記初期化信号を除去するノイズ除去部を含む、請求項３に記載の光ファイバ伝送システム。
【請求項５】
前記デジタルフィルタは、有限インパルス応答フィルタである、請求項２から請求項４までのいずれかに記載の光ファイバ伝送システム。
【請求項６】
前記適応アルゴリズムは、最小二乗平均アルゴリズムである、請求項２から請求項５までのいずれかに記載の光ファイバ伝送システム。
【請求項７】
前記エコーキャンセラは、前記デジタル／アナログ変換器および前記アナログ／デジタル変換器と同期して動作する、請求項１から請求項６までのいずれかに記載の光ファイバ伝送システム。
【請求項８】
第１および第２のＤＳＬ装置を接続するメタリックケーブルの一部区間を光ファイバで置換し、前記光ファイバの一方端と第１のＤＳＬ装置側のメタリックケーブルとの間に第１の光伝送装置を設け、前記光ファイバの他方端と第２のＤＳＬ装置側のメタリックケーブルとの間に第２の光伝送装置を設けた光ファイバ伝送システムにおける光伝送方法であって、
相手側の光伝送装置から受けた受信信号が対応するＤＳＬ装置から受けた送信信号に混入するエコー信号を予め推定し、適応アルゴリズムを用いてフィルタ係数を算出するトレーニングステップ、および
前記トレーニングステップにおいて算出された前記フィルタ係数を用いて、前記送信信号に混入したエコー信号を除去するデータ通信ステップを含む、光伝送方法。
【発明の詳細な説明】
【技術分野】
【０００１】
この発明は、光ファイバ伝送システムおよび光伝送方法に関し、特に、第１および第２のＤＳＬ装置を接続するメタリックケーブルの一部区間を光ファイバで置換し、光ファイバの一方端と第１のＤＳＬ装置側のメタリックケーブルとの間に第１の光伝送装置を設け、光ファイバの他方端と第２のＤＳＬ装置側のメタリックケーブルとの間に第２の光伝送装置を設けた光ファイバ伝送システムおよび光伝送方法に関する。
【背景技術】
【０００２】
ｘＤＳＬ（x Digital Subscriber Line：デジタル加入者線）方式を用いた伝送システムでは、既存のメタリックケーブル（電話回線）を利用して高速のデータ通信を行なう。ｘＤＳＬ方式には、たとえばＡＤＳＬ（Asymmetric DSL：非対称デジタル加入者線）方式やＳＤＳＬ（Symmetric DSL：対称型デジタル加入者線）方式、ＶＤＳＬ（Very high-bit-rate DSL：超高速デジタル加入者線）方式などがある。
【０００３】
近年、上り方向の周波数帯域と下り方向の周波数帯域とを重複させたオーバーラップ・ＡＤＳＬ方式が広く普及しつつある。高い周波数のＡＤＳＬ信号は、距離による減衰が大きくて遠くまで伝わりにくい。そこで、オーバーラップ・ＡＤＳＬ方式では、下り方向の周波数帯域より低い上り方向の周波数帯域に、下り方向の信号を重ねて使用する。これにより、サービス提供エリアを広げることができる。
【０００４】
図１２は、オーバーラップ・ｘＤＳＬ方式を用いた従来の伝送システムの構成を示すブロック図である。図１２において、この伝送システムは、電話事業者局に設けられたｘＤＳＬ局側装置１０１と、加入者宅に設けられたｘＤＳＬ端末側装置１０２とを備える。
【０００５】
ｘＤＳＬ局側装置１０１は、デジタル／アナログ変換器（Ｄ／Ａ）１１１、バッファ回路１１２、ハイブリッド回路１１３、バッファ回路１１４、アナログ／デジタル変換器（Ａ／Ｄ）１１５、エコーキャンセラ１１６および減算器１１７を含む。ｘＤＳＬ端末側装置１０２は、デジタル／アナログ変換器（Ｄ／Ａ）１２１、バッファ回路１２２、ハイブリッド回路１２３、バッファ回路１２４、アナログ／デジタル変換器（Ａ／Ｄ）１２５、エコーキャンセラ１２６および減算器１２７を含む。
【０００６】
ｘＤＳＬ局側装置１０１において、図示しない変調器によって下り方向のｘＤＳＬ信号（送信信号）が変調されて、デジタル／アナログ変換器１１１に与えられる。デジタル／アナログ変換器１１１は、変調されたｘＤＳＬ信号をデジタル／アナログ変換する。バッファ回路１１２は、デジタル／アナログ変換器１１１の出力信号をバッファリングする。ハイブリッド回路１１３は、バッファ回路１１２からの下り方向のｘＤＳＬ信号をメタリックケーブルに与えるとともに、メタリックケーブルからの上り方向のｘＤＳＬ信号（受信信号）をバッファ回路１１４に与える。バッファ回路１１４は、ハイブリッド回路１１３からの信号をバッファリングする。アナログ／デジタル変換器１１５は、バッファ回路１１３からの信号をアナログ／デジタル変換する。
【０００７】
エコーキャンセラ１１６は、下り方向のｘＤＳＬ信号（送信信号）が上り方向のｘＤＳＬ信号（受信信号）に混入するエコー信号（漏れ込み信号）を予め推定し、エコー信号を除去するための擬似エコー信号を生成する。減算器１１７は、アナログ／デジタル変換器１１５の出力信号から擬似エコー信号を減算して、上り方向のｘＤＳＬ信号（受信信号）に混入したエコー信号を除去する。減算器１１７からの上り方向のｘＤＳＬ信号は、図示しない復調器によって復調される。
【０００８】
ｘＤＳＬ端末側装置１０２において、図示しない変調器によって上り方向のｘＤＳＬ信号（送信信号）が変調されて、デジタル／アナログ変換器１２１に与えられる。デジタル／アナログ変換器１２１は、変調されたｘＤＳＬ信号をデジタル／アナログ変換する。バッファ回路１２２は、デジタル／アナログ変換器１２１の出力信号をバッファリングする。ハイブリッド回路１２３は、バッファ回路１２２からの上り方向のｘＤＳＬ信号をメタリックケーブルに与えるとともに、メタリックケーブルからの下り方向のｘＤＳＬ信号（受信信号）をバッファ回路１２４に与える。バッファ回路１２４は、ハイブリッド回路１２３からの信号をバッファリングする。アナログ／デジタル変換器１２５は、バッファ回路１２３からの信号をアナログ／デジタル変換する。
【０００９】
エコーキャンセラ１２６は、上り方向のｘＤＳＬ信号（送信信号）が下り方向のｘＤＳＬ信号（受信信号）に混入するエコー信号を予め推定し、エコー信号を除去するための擬似エコー信号を生成する。減算器１２７は、アナログ／デジタル変換器１２５の出力信号から擬似エコー信号を減算して、下り方向のｘＤＳＬ信号（受信信号）に混入したエコー信号を除去する。減算器１２７からの下り方向のｘＤＳＬ信号は、図示しない復調器によって復調される。
【００１０】
ハイブリッド回路１１３，１２３は、上り方向の信号と下り方向の信号とを分離し、互いに信号が漏れ込まないようにするための回路である。しかし、実際は、ハイブリッド回路内の部品のばらつき、メタリックケーブルのインピーダンスのばらつきなどの影響を受けて、上り方向の信号と下り方向の信号が互いに漏れ込んでしまう。このため、オーバーラップ・ｘＤＳＬ方式の場合、エコーキャンセラ１１６，１２６および減算器１１７，１２７を設けることによって、上り方向および下り方向の信号に混入したエコー信号を除去している。
【００１１】
ｘＤＳＬ局側装置１０１とｘＤＳＬ端末側装置１０２とを接続するメタリックケーブルは、地下に敷設される部分と、地上の電柱に沿って空中にかけわたされる部分（架空ケーブル）とがある。メタリックケーブルの地下に敷設されている部分は、一般に老朽化が進みやすく、また保守費用が高いため、光ファイバへの置換え作業（または置換え作業の検討）が進められている。しかし、メタリックケーブルを単純に光ファイバに置換えるだけでは、ｘＤＳＬサービスが提供できなくなるという問題が発生する。そこで、既にｘＤＳＬサービスを行なっている伝送システムにおいて、通信経路の一部区間を光ファイバ化してもｘＤＳＬサービスが提供できる光ファイバ伝送システムを実現する必要がある。
【００１２】
図１３は、通信経路の一部区間が光ファイバ化された従来の光ファイバ伝送システムの構成を示すブロック図であって、図１２と対比される図である。図１３の光ファイバ伝送システムを参照して、図１２の伝送システムと異なる点は、光伝送装置１３１，１３２が追加されている点である。
【００１３】
図１３において、この光ファイバ伝送システムは、電話事業者局に設けられたｘＤＳＬ局側装置１０１および光伝送装置１３１と、リモートターミナルに設けられた光伝送装置１３２と、加入者宅に設けられたｘＤＳＬ端末側装置１０２とを備える。
【００１４】
光伝送装置１３１は、光／電気変換器（Ｏ／Ｅ）１４１、デジタル／アナログ変換器（Ｄ／Ａ）１４２、バッファ回路１４３、ハイブリッド回路１４４、バッファ回路１４５、アナログ／デジタル変換器（Ａ／Ｄ）１４６および電気／光変換器（Ｅ／Ｏ）１４７を含む。光伝送装置１３２は、光／電気変換器（Ｏ／Ｅ）１５１、デジタル／アナログ変換器（Ｄ／Ａ）１５２、バッファ回路１５３、ハイブリッド回路１５４、バッファ回路１５５、アナログ／デジタル変換器（Ａ／Ｄ）１５６および電気／光変換器（Ｅ／Ｏ）１５７を含む。
【００１５】
光伝送装置１３１において、光／電気変換器１４１は、光ファイバからの上り方向のｘＤＳＬ信号（受信信号）を光／電気変換する。デジタル／アナログ変換器１４２は、光／電気変換器１４１の出力信号をデジタル／アナログ変換する。バッファ回路１４３は、デジタル／アナログ変換器１４２の出力信号をバッファリングする。ハイブリッド回路１４４は、バッファ回路１４３からの上り方向のｘＤＳＬ信号をメタリックケーブルに与えるとともに、メタリックケーブルからの下り方向のｘＤＳＬ信号（送信信号）をバッファ回路１４５に与える。バッファ回路１４５は、ハイブリッド回路１４４からの信号をバッファリングする。アナログ／デジタル変換器１４６は、バッファ回路１４５からの信号をアナログ／デジタル変換する。電気／光変換器１４７は、アナログ／デジタル変換器１４６からの下り方向のｘＤＳＬ信号を電気／光変換して光ファイバに与える。
【００１６】
光伝送装置１３２において、光／電気変換器１５１は、光ファイバからの下り方向のｘＤＳＬ信号（受信信号）を光／電気変換する。デジタル／アナログ変換器１５２は、光／電気変換器１５１の出力信号をデジタル／アナログ変換する。バッファ回路１５３は、デジタル／アナログ変換器１５２の出力信号をバッファリングする。ハイブリッド回路１５４は、バッファ回路１５３からの下り方向のｘＤＳＬ信号をメタリックケーブルに与えるとともに、メタリックケーブルからの上り方向のｘＤＳＬ信号（送信信号）をバッファ回路１５５に与える。バッファ回路１５５は、ハイブリッド回路１５４からの信号をバッファリングする。アナログ／デジタル変換器１５６は、バッファ回路１５５からの信号をアナログ／デジタル変換する。電気／光変換器１５７は、アナログ／デジタル変換器１５６からの上り方向のｘＤＳＬ信号を電気／光変換して光ファイバに与える。
【００１７】
ここで、光伝送装置１３１，１３２の内部において、ハイブリッド回路内の部品のばらつき、メタリックケーブルのインピーダンスのばらつきなどの影響を受けて、上り方向の信号と下り方向の信号が互いに漏れ込んでしまうという問題が発生する。各搬送波に最大約１５ビットのデータを割当てるｘＤＳＬ方式においては、信号の僅かな漏れ込みが、致命的な通信品質の劣化を招いてしまう。
【００１８】
下記の特許文献１には、複数のデジタル加入者回線信号および電話信号を簡易に収容することのできる加入者系光ファイバ伝送システムが開示されている。この場合、上り方向の信号と下り方向の信号とを完全に分離する構成により、エコーキャンセラを不要とする。
【特許文献１】特開２０００−３０８１０１号公報
【発明の開示】
【発明が解決しようとする課題】
【００１９】
このように、従来の光ファイバ伝送システムでは、光伝送装置の内部において上り方向の信号と下り方向の信号が互いに漏れ込み、致命的な通信品質の劣化が生じてしまうという問題があった。また、オーバーラップ・ｘＤＳＬ方式を用いた光ファイバ伝送システムでは、上述の特許文献１に開示された方法を用いても、その問題は十分に解決されない。
【００２０】
それゆえに、この発明の主たる目的は、通信品質のよい光ファイバ伝送システムおよび光伝送方法を提供することである。
【課題を解決するための手段】
【００２１】
この発明に係わる光ファイバ伝送システムは、第１および第２のＤＳＬ装置を接続するメタリックケーブルの一部区間を光ファイバで置換し、光ファイバの一方端と第１のＤＳＬ装置側のメタリックケーブルとの間に第１の光伝送装置を設け、光ファイバの他方端と第２のＤＳＬ装置側のメタリックケーブルとの間に第２の光伝送装置を設けた光ファイバ伝送システムであって、第１および第２の光伝送装置のうちの少なくとも一方は、相手側の光伝送装置から受けた受信信号が対応するＤＳＬ装置から受けた送信信号に混入するエコー信号を予め推定し、擬似エコー信号を生成するエコーキャンセラと、送信信号から擬似エコー信号を減算して、送信信号に混入したエコー信号を除去する減算器とを備えることを特徴とする。
【００２２】
好ましくは、第１および第２の光伝送装置のうちの少なくとも一方は、さらに、相手側の光伝送装置から光ファイバを介して受けた受信信号を光／電気変換する光／電気変換器と、光／電気変換器の出力信号をデジタル／アナログ変換するデジタル／アナログ変換器と、デジタル／アナログ変換器の出力信号をメタリックケーブルを介して対応するＤＳＬ装置に与えるとともに、対応するＤＳＬ装置からメタリックケーブルを介して送信信号を受けるハイブリッド回路と、ハイブリッド回路から送信信号を受けてアナログ／デジタル変換するアナログ／デジタル変換器と、アナログ／デジタル変換器の出力信号を減算器を介して受け、電気／光変換して光ファイバを介して相手側の光伝送装置に与える電気／光変換器とを備える。エコーキャンセラは、所定の周波数帯域を有するトレーニング信号を生成して、デジタル／アナログ変換器に出力するトレーニング信号発生部と、トレーニング信号に基づいて、減算器の出力信号のレベルが最小になるように、適応アルゴリズムを用いてフィルタ係数を算出するフィルタ係数決定部と、算出されたフィルタ係数を用いて、擬似エコー信号を生成するデジタルフィルタとを含む。
【００２３】
また、好ましくは、第１および第２の光伝送装置のうちの少なくとも一方は、さらに、光／電気変換器とデジタル／アナログ変換器との間に設けられ、フィルタ係数を算出するトレーニングモードにおいて、トレーニング信号発生部の出力信号をデジタル／アナログ変換器に与えるとともに、光／電気変換器の出力信号を遮断し、送信信号に混入したエコー信号を除去するデータ通信モードにおいて、光／電気変換器の出力信号をデジタル／アナログ変換器に与えるとともに、トレーニング信号発生部の出力信号を遮断するスイッチ回路を含む。
【００２４】
また、好ましくは、エコーキャンセラは、さらに、対応するＤＳＬ装置から送信される初期化信号のデータを予め記憶し、トレーニングモードにおいて、トレーニング信号に混入した初期化信号を除去するノイズ除去部を含む。
【００２５】
また、好ましくは、デジタルフィルタは、有限インパルス応答フィルタである。
【００２６】
また、好ましくは、適応アルゴリズムは、最小二乗平均アルゴリズムである。
【００２７】
また、好ましくは、エコーキャンセラは、デジタル／アナログ変換器およびアナログ／デジタル変換器と同期して動作する。
【００２８】
この発明に係わる光伝送方法は、第１および第２のＤＳＬ装置を接続するメタリックケーブルの一部区間を光ファイバで置換し、光ファイバの一方端と第１のＤＳＬ装置側のメタリックケーブルとの間に第１の光伝送装置を設け、光ファイバの他方端と第２のＤＳＬ装置側のメタリックケーブルとの間に第２の光伝送装置を設けた光ファイバ伝送システムにおける光伝送方法であって、相手側の光伝送装置から受けた受信信号が対応するＤＳＬ装置から受けた送信信号に混入するエコー信号を予め推定し、適応アルゴリズムを用いてフィルタ係数を算出するトレーニングステップと、トレーニングステップにおいて算出されたフィルタ係数を用いて、送信信号に混入したエコー信号を除去するデータ通信ステップとを含む。
【発明の効果】
【００２９】
この発明に係わる光ファイバ伝送システムでは、第１および第２の光伝送装置のうちの少なくとも一方は、相手側の光伝送装置から受けた受信信号が対応するＤＳＬ装置から受けた送信信号に混入するエコー信号を予め推定し、擬似エコー信号を生成するエコーキャンセラと、送信信号から擬似エコー信号を減算して、送信信号に混入したエコー信号を除去する減算器とが設けられる。したがって、オーバーラップ・ｘＤＳＬ方式を用いた光ファイバ伝送システムにおいて、光伝送装置の内部にエコーキャンセラを設けたことによって、通信品質の劣化が防止される。
【００３０】
この発明に係わる光伝送方法は、相手側の光伝送装置から受けた受信信号が対応するＤＳＬ装置から受けた送信信号に混入するエコー信号を予め推定し、適応アルゴリズムを用いてフィルタ係数を算出するトレーニングステップと、トレーニングステップにおいて算出されたフィルタ係数を用いて、送信信号に混入したエコー信号を除去するデータ通信ステップとを含む。したがって、オーバーラップ・ｘＤＳＬ方式を用いた光ファイバ伝送システムにおいて、トレーニングステップとデータ通信ステップとを設けたことによって、通信品質の劣化が防止される。
【発明を実施するための最良の形態】
【００３１】
図１は、この発明の一実施の形態による光ファイバ伝送システムの概略構成を示すブロック図である。図１において、この光ファイバ伝送システムは、ＩＳＰ（Internet Service Provider：インターネットサービスプロバイダ）網に接続された電話事業者局１と、光ファイバを介して電話事業者局１に接続されたリモートターミナル２と、メタリックケーブル（架空ケーブル）を介してリモートターミナル２に接続された加入者宅３とを備える。
【００３２】
電話事業者局１は、ｘＤＳＬ局側装置１１および光伝送装置１２を含む。ｘＤＳＬ局側装置１１は、ＩＳＰ網に接続され、ｘＤＳＬ信号の変調および復調を行なう。光伝送装置１２は、メタリックケーブルを介してｘＤＳＬ局側装置１１に接続され、ｘＤＳＬ局側装置１１からのｘＤＳＬ信号を電気／光変換して光ファイバに与えるとともに、光ファイバからのｘＤＳＬ信号を光／電気変換してｘＤＳＬ局側装置１１に与える。
【００３３】
リモートターミナル２は、光伝送装置１３を含む。光伝送装置１３は、光ファイバからのｘＤＳＬ信号を光／電気変換してメタリックケーブル（架空）に与えるとともに、メタリックケーブル（架空）からのｘＤＳＬ信号電気／光変換して光ファイバに与える。
【００３４】
加入者宅３は、ｘＤＳＬ端末側装置１４およびパソコン（ＰＣ）１５を含む。ｘＤＳＬ端末側装置１４は、ｘＤＳＬ信号の変調および復調を行なう。パソコン１５は、ｘＤＳＬ端末側装置１４に接続される。
【００３５】
図２は、図１に示したｘＤＳＬ局側装置１１、光伝送装置１２，１３およびｘＤＳＬ端末側装置１４の構成を示すブロック図である。図２において、ｘＤＳＬ局側装置１１は、デジタル／アナログ変換器（Ｄ／Ａ）２１、バッファ回路２２、ハイブリッド回路２３、バッファ回路２４、アナログ／デジタル変換器（Ａ／Ｄ）２５、エコーキャンセラ２６および減算器２７を含む。光伝送装置１２は、光／電気変換器（Ｏ／Ｅ）３１、デジタル／アナログ変換器（Ｄ／Ａ）３２、バッファ回路３３、ハイブリッド回路３４、バッファ回路３５、アナログ／デジタル変換器（Ａ／Ｄ）３６、エコーキャンセラ３７、減算器３８および電気／光変換器（Ｅ／Ｏ）３９を含む。光伝送装置１３は、光／電気変換器（Ｏ／Ｅ）４１、デジタル／アナログ変換器（Ｄ／Ａ）４２、バッファ回路４３、ハイブリッド回路４４、バッファ回路４５、アナログ／デジタル変換器（Ａ／Ｄ）４６、エコーキャンセラ４７、減算器４８および電気／光変換器（Ｅ／Ｏ）４９を含む。ｘＤＳＬ端末側装置１４は、デジタル／アナログ変換器（Ｄ／Ａ）５１、バッファ回路５２、ハイブリッド回路５３、バッファ回路５４、アナログ／デジタル変換器（Ａ／Ｄ）５５、エコーキャンセラ５６および減算器５７を含む。
【００３６】
ｘＤＳＬ局側装置１１において、図示しない変調器によって下り方向のｘＤＳＬ信号（送信信号）が変調されて、デジタル／アナログ変換器２１に与えられる。デジタル／アナログ変換器２１は、変調されたｘＤＳＬ信号をデジタル／アナログ変換する。バッファ回路２２は、デジタル／アナログ変換器２１の出力信号をバッファリングする。ハイブリッド回路２３は、バッファ回路２２からの下り方向のｘＤＳＬ信号をメタリックケーブル（局内）に与えるとともに、メタリックケーブル（局内）からの上り方向のｘＤＳＬ信号（受信信号）をバッファ回路２４に与える。バッファ回路２４は、ハイブリッド回路２３からの信号をバッファリングする。アナログ／デジタル変換器２５は、バッファ回路２３からの信号をアナログ／デジタル変換する。
【００３７】
エコーキャンセラ２６は、下り方向のｘＤＳＬ信号（送信信号）が上り方向のｘＤＳＬ信号（受信信号）に混入するエコー信号（漏れ込み信号）を予め推定し、エコー信号を除去するための擬似エコー信号を生成する。減算器２７は、アナログ／デジタル変換器２５の出力信号から擬似エコー信号を減算して、上り方向のｘＤＳＬ信号（受信信号）に混入したエコー信号を除去する。減算器２７からの上り方向のｘＤＳＬ信号は、図示しない復調器によって復調される。
【００３８】
光伝送装置１２において、光／電気変換器３１は、光ファイバからの上り方向のｘＤＳＬ信号（受信信号）を光／電気変換する。デジタル／アナログ変換器３２は、光／電気変換器３１の出力信号をデジタル／アナログ変換する。バッファ回路３３は、デジタル／アナログ変換器３２の出力信号をバッファリングする。ハイブリッド回路３４は、バッファ回路３３からの上り方向のｘＤＳＬ信号をメタリックケーブル（局内）に与えるとともに、メタリックケーブル（局内）からの下り方向のｘＤＳＬ信号（送信信号）をバッファ回路３５に与える。バッファ回路３５は、ハイブリッド回路３４からの信号をバッファリングする。アナログ／デジタル変換器３６は、バッファ回路３５からの信号をアナログ／デジタル変換する。
【００３９】
エコーキャンセラ３７は、上り方向のｘＤＳＬ信号（受信信号）が下り方向のｘＤＳＬ信号（送信信号）に混入するエコー信号を予め推定し、エコー信号を除去するための擬似エコー信号を生成する。減算器３８は、アナログ／デジタル変換器３６の出力信号から擬似エコー信号を減算して、下り方向のｘＤＳＬ信号（送信信号）に混入したエコー信号を除去する。電気／光変換器３９は、減算器３８からの下り方向のｘＤＳＬ信号を電気／光変換して光ファイバに与える。
【００４０】
光伝送装置１３において、光／電気変換器４１は、光ファイバからの下り方向のｘＤＳＬ信号（受信信号）を光／電気変換する。デジタル／アナログ変換器４２は、光／電気変換器４１の出力信号をデジタル／アナログ変換する。バッファ回路４３は、デジタル／アナログ変換器４２の出力信号をバッファリングする。ハイブリッド回路４４は、バッファ回路４３からの下り方向のｘＤＳＬ信号をメタリックケーブル（架空）に与えるとともに、メタリックケーブル（架空）からの上り方向のｘＤＳＬ信号（送信信号）をバッファ回路４５に与える。バッファ回路４５は、ハイブリッド回路４４からの信号をバッファリングする。アナログ／デジタル変換器４６は、バッファ回路４５からの信号をアナログ／デジタル変換する。
【００４１】
エコーキャンセラ４７は、下り方向のｘＤＳＬ信号（受信信号）が上り方向のｘＤＳＬ信号（送信信号）に混入するエコー信号を予め推定し、エコー信号を除去するための擬似エコー信号を生成する。減算器４８は、アナログ／デジタル変換器４６の出力信号から擬似エコー信号を減算して、上り方向のｘＤＳＬ信号（送信信号）に混入したエコー信号を除去する。電気／光変換器４９は、減算器４８からの上り方向のｘＤＳＬ信号を電気／光変換して光ファイバに与える。
【００４２】
ｘＤＳＬ端末側装置１４において、図示しない変調器によって上り方向のｘＤＳＬ信号（送信信号）が変調されて、デジタル／アナログ変換器５１に与えられる。デジタル／アナログ変換器５１は、変調されたｘＤＳＬ信号をデジタル／アナログ変換する。バッファ回路５２は、デジタル／アナログ変換器５１の出力信号をバッファリングする。ハイブリッド回路５３は、バッファ回路５２からの上り方向のｘＤＳＬ信号をメタリックケーブル（架空）に与えるとともに、メタリックケーブル（架空）からの下り方向のｘＤＳＬ信号（受信信号）をバッファ回路５４に与える。バッファ回路５４は、ハイブリッド回路５３からの信号をバッファリングする。アナログ／デジタル変換器５５は、バッファ回路５３からの信号をアナログ／デジタル変換する。
【００４３】
エコーキャンセラ５６は、上り方向のｘＤＳＬ信号（送信信号）が下り方向のｘＤＳＬ信号（受信信号）に混入するエコー信号を予め推定し、エコー信号を除去するための擬似エコー信号を生成する。減算器５７は、アナログ／デジタル変換器５５の出力信号から擬似エコー信号を減算して、下り方向のｘＤＳＬ信号（受信信号）に混入したエコー信号を除去する。減算器５７からの下り方向のｘＤＳＬ信号は、図示しない復調器によって復調される。
【００４４】
図３は、オーバーラップ・ＡＤＳＬ方式の周波数割当てについて説明するための図である。図３において、オーバーラップ・ＡＤＳＬ方式における上り方向の周波数帯域は２５〜１３８（ｋＨｚ）、下り方向の周波数帯域は２５〜１１０４（ｋＨｚ）である。ただし、これはＡＤＳＬ（G.dmt）方式の場合を示している。図示しないが、ダブルスペクトラムＡＤＳＬ方式の場合は、下り方向の周波数帯域は２５〜２２０８（ｋＨｚ）である。このように、オーバーラップ・ＡＤＳＬ方式では、上り方向の周波数帯域と下り方向の周波数帯域とが重なっている。このため、オーバーラップ・ｘＤＳＬ方式を用いる場合は、エコーキャンセラおよび減算器によって上り方向および下り方向の信号に混入したエコー信号を除去する。
【００４５】
各搬送波に最大約１５ビットのデータを割当てるｘＤＳＬ方式においては、信号の僅かな漏れ込みが、致命的な通信品質の劣化を招いてしまう。たとえばＩＳＤＮ（integrated Services Digital Network：統合サービスデジタル網）方式で要求されるＳＮＲ（信号対雑音比）は約２６ｄＢであるのに対して、ｘＤＳＬ方式では約６０ｄＢのＳＮＲが要求される。このため、エコーキャンセラおよび減算器によってエコー信号を確実に除去する必要がある。ここで、約６０ｄＢのＳＮＲを算出する数式（１）を下記に示す。
【００４６】
ｂｉｔ＝ｌｏｇ２（１＋ＳＮＲ／Γ）・・・（１）
ただし、Γ＝１２．７５ｄＢ（ビット誤り率を１／１０7とした場合）とする。この数式（１）にｂｉｔ＝１５を代入することによって、ＳＮＲ＝約６０ｄＢが算出される。
【００４７】
図４は、図２に示した光伝送装置１２において下り方向のｘＤＳＬ信号に混入するエコー信号について説明するための図である。図４において、エコー信号は、ハイブリッド回路３４を介して下り方向のｘＤＳＬ信号に直接混入する回り込み成分と、ｘＤＳＬ局側装置１１で反射して戻ってきた後にハイブリッド回路３４を介して下り方向のｘＤＳＬ信号に混入する反射成分とを含む。
【００４８】
エコーキャンセラ３７は、電源投入時やリセット時などにエコー信号を予め算出する。その算出結果に基づいて、減算器３８によってエコー信号が除去される。
【００４９】
図５は、エコーキャンセラ３７の構成を示すブロック図である。図５において、エコーキャンセラ３７は、ＦＩＲ（Finite Impulse Response：有限インパルス応答）フィルタ６１および適応アルゴリズム計算器６２を含む。適応アルゴリズム計算器６２は、フィルタ係数決定部６３およびトレーニング信号発生部６４で構成される。また、光／電気変換器３１とデジタル／アナログ変換器３２との間に、スイッチ回路ＳＷ１が設けられる。
【００５０】
スイッチ回路ＳＷ１は、電源投入時やリセット時などのトレーニングモードにおいて、トレーニング信号発生部６４からのトレーニング信号をデジタル／アナログ変換器３２およびＦＩＲフィルタ６１に伝達する。また、このスイッチ回路ＳＷ１は、光／電気変換器３１からの上り方向のｘＤＳＬ信号を遮断する。これにより、通信リンクが切断される。ｘＤＳＬ局側装置１１は、一旦通信リンクが切断されると、ｘＤＳＬ端末側装置１４から初期化信号（ハンドシェイク信号）を受けるまでは応答しない。したがって、光伝送装置１２が外部の装置からの不要な信号の影響を受けない状態にされる。
【００５１】
トレーニングモードにおいて、フィルタ係数決定部６３は、トレーニング信号発生部６４にトレーニング信号の発生を指示する。ただし、通信リングが完全に切断されるまでにかかる時間を考慮して、トレーニングモード開始後、約１０程度待ってからトレーニング信号を発生させる。これに応じて、トレーニング信号発生部６４は、トレーニング信号ｘ（ｎ）を出力する。このトレーニング信号ｘ（ｎ）に対して、戻ってくる回り込み成分と反射成分が合成されたエコー信号ｄ（ｎ）を観測する。ここで、ワンショットパルスのトレーニング信号ｘ（ｎ）に対して、エコー信号が戻ってくることをインパルス応答という。
【００５２】
なお、デジタル／アナログ変換器３２、アナログ／デジタル変換器３６、ＦＩＲフィルタ６１、フィルタ係数決定部６３およびトレーニング信号発生部６４は、図示しない水晶発振器から生成されるサンプリングクロック信号にすべて同期して動作する。このように同期を合わせることによって、エコーキャンセラ３７は適切なタイミングで動作する。トレーニング信号発生部６４は、ｎ番目のサンプリングクロックにおいてトレーニング信号ｘ（ｎ）を送信するものとする。
【００５３】
また、このトレーニング信号ｘ（ｎ）は、エコーキャンセルを実行したい周波数帯域を有する信号とする。たとえば、オーバーラップ・ＡＤＳＬ方式の場合（図３参照）は、上り方向の周波数帯域と下り方向の周波数帯域の重なっている部分の帯域２５〜１３８（ｋＨｚ）を有するトレーニング信号を用いる。
【００５４】
また、このトレーニング信号ｘ（ｎ）の電力密度ＰＳＤは、約−４０ｄＢｍ／Ｈｚとする。これは、電力密度ＰＳＤが大きいほど背景雑音の影響を受けにくくなるが、送信用アンプの能力や他の回線への漏話を考慮に入れる必要があるため、ＡＤＳＬ方式のデータ通信に用いられる信号の強度と同程度とするのが望ましいからである。
【００５５】
図６は、トレーニング信号ｘ（ｎ）に対するインパルス応答を示す図である。図６において、時刻ｔ１にエコーキャンセラ３７からトレーニング信号ｘ（ｎ）が送信されると、所定時間経過後にトレーニング信号ｘ（ｎ）の回り込み成分が戻ってきた後、トレーニング信号ｘ（ｎ）の反射成分が戻ってくる。これらの回り込み成分と反射成分が合成された信号がエコー信号ｄ（ｎ）である。
【００５６】
図５に戻って、フィルタ係数決定部６３は、ＬＭＳ（Least Mean Square：最小二乗平均）アルゴリズムなどの適応アルゴリズムを用いて、フィルタ係数ｗi（ｎ）を決定する。ＦＩＲフィルタ６１は、決定されたフィルタ係数ｗi（ｎ）に基づいて、擬似エコー信号ｙ（ｎ）を生成する。減算器３８は、エコー信号ｄ（ｎ）から擬似エコー信号ｙ（ｎ）を減算し、残留エコー信号ｅ（ｎ）を出力する。エコーキャンセラ３７は、この残留エコー信号ｅ（ｎ）が最小になるようにフィルタ係数ｗi（ｎ）を決定する。
【００５７】
図７は、ＦＩＲフィルタ６１の構成を示すブロック図である。図７において、このＦＩＲフィルタ６１は、複数の遅延素子７１、複数の乗算器７２および複数の加算器７３を含む。ＦＩＲフィルタ６１のフィルタ長をＬｗとすると、遅延素子７１は（Ｌｗ−１）段、乗算器７２はＬｗ段、加算器７３は（Ｌｗ−１）段となる。
【００５８】
ＦＩＲフィルタ６１は、フィードバックのループがなく、インパルス応答が有限個のパルスで表わされるデジタルフィルタである。フィードバックループがあるＩＩＲフィルタに比べて、ＦＩＲフィルタは動作が安定で、かつフィルタ係数の設定が容易である。このため、通常は、エコーキャンセラにはＦＩＲフィルタが用いられる。
【００５９】
このＦＩＲフィルタ６１に入力されたトレーニング信号ｘ（ｎ）は、１段目の乗算器７２によってフィルタ係数ｗ0（ｎ）が乗算されて１段目の加算器７３に与えられる。１段目の遅延素子７１を介して１クロック分遅延されたトレーニング信号ｘ（ｎ−１）は、２段目の乗算器７２によってフィルタ係数ｗ1（ｎ）が乗算されて１段目の加算器７３に与えられる。２段目の遅延素子７１を介してさらに１クロック分遅延されたトレーニング信号ｘ（ｎ−２）は、３段目の乗算器７２によってフィルタ係数ｗ2（ｎ）が乗算されて２段目の加算器７３に与えられる。このようにして、最終段の遅延素子７１を介して（Ｌｗ−１）クロック分遅延されたトレーニング信号ｘ（ｎ−Ｌｗ＋１）は、Ｌｗ段目の乗算器７２によってフィルタ係数ｗLw-1（ｎ）が乗算されて（Ｌｗ−１）段目の加算器７３に与えられる。（Ｌｗ−１）個の加算器７３によって加算された信号は、擬似エコー信号ｙ（ｎ）としてＦＩＲフィルタ６１から出力される。この擬似エコー信号ｙ（ｎ）は、下記の数式（２）で表わされる。
【００６０】
【数１】
2006196999.tif 000003
【００６１】
ＦＩＲフィルタ６１は、ＬＭＳアルゴリズムを用いて、残留エコー信号ｅ（ｎ）＝ｄ（ｎ）−ｙ（ｎ）が最小になるようにフィルタ係数ｗi（ｎ）を逐次的に更新して決定する。下記の数式（３）は、ＬＭＳアルゴリズムで用いられる係数更新式である。
【００６２】
【数２】
2006196999.tif 000004
【００６３】
ただし、μは一回の更新ごとの修正量を示すステップサイズであり、このμが大きいほど係数更新時の修正量が大きくなる。また、ｎ＝０のときのフィルタ係数ｗ0（０）〜ｗLw-1（０）をすべて０とする。そしてｎを逐次的に大きくしてフィルタ係数の値を更新する。
【００６４】
図８は、上記数式（３）を用いて決定されるフィルタ係数ｗi（ｎ）を示す図である。図８において、フィルタ長Ｌｗを１４とした場合におけるフィルタ係数ｗ0（ｎ）〜ｗ13（ｎ）を示す。このようにして決定されたフィルタ係数ｗi（ｎ）を用いて、エコー信号ｄ（ｎ）と同一の擬似エコー信号ｙ（ｎ）が生成される。トレーニングモード終了後、データ通信を行なうデータ通信モードに切替えられる。
【００６５】
図９は、データ通信モードにおけるエコーキャンセラ３７の動作について説明するためのブロック図である。図９において、データ通信モードでは、フィルタ係数決定部６３およびトレーニング信号発生部６４の動作が停止される。
【００６６】
スイッチ回路ＳＷ１は、データ通信モードにおいて、光／電気変換器３１からの上り方向のｘＤＳＬ信号をデジタル／アナログ変換器３２およびＦＩＲフィルタ６１に伝達する。ＦＩＲフィルタ４１は、トレーニングモードにおいてフィルタ係数決定部６３によって決定されたフィルタ係数ｗ0（ｎ）〜ｗLw-1（ｎ）を用いて、擬似エコー信号ｙ（ｎ）を生成する。減算器３８は、アナログ／デジタル変換器３６からの下り方向のｘＤＳＬ信号から擬似エコー信号ｙ（ｎ）を減算する。これにより、アナログ／デジタル変換器３６からの下り方向のｘＤＳＬ信号に混入したエコー信号が除去される。光ファイバ伝送システムにおけるｘＤＳＬ信号の伝送路の特性は時不変であるため、このようにトレーニングモードにおいて決定したフィルタ係数をそのまま変更せずにデータ通信モードにおいて用いることができる。
【００６７】
なお、ハイブリッド回路３４とｘＤＳＬ局側装置１１とを接続するメタリックケーブル（局内）の長さは所定距離（たとえば５００ｍ）以下であると仮定する。これは、以下の理由による。
【００６８】
ｘＤＳＬ局側装置１１で反射して戻ってくるエコー信号の反射成分は、メタリックケーブル（局内）を信号が往復するのにかかる時間分だけ、エコー信号の回り込み成分よりも遅延する。メタリックケーブル（局内）が長いほど、この遅延時間は大きくなる。遅延の大きな信号成分をＦＩＲフィルタ６１で実現するためには、フィルタ段数を多くしなければならない。しかし、フィルタ段数が多いほど、ＦＩＲフィルタ６１の構成が複雑になり、フィルタ係数を決定するための計算量が増えるため、高価な適応アルゴリズム計算器６２が必要になってしまう。
【００６９】
また、メタリックケーブル（局内）が長いほど、線路減衰が大きくなり、エコー信号の反射成分のレベルが低下する。メタリックケーブル（局内）が所定距離（たとえば５００ｍ）よりも長い場合は、線路減衰がＳＮＲ６０ｄＢに対して無視できる量になる。このため、ＦＩＲフィルタ６１は、所定距離（たとえば５００ｍ）を往復するのにかかる時間分に対応可能なフィルタ段数にすればよい。
【００７０】
メタリックケーブルの信号伝播速度を真空速度の約２／３（＝約２０万ｋｍ／ｓ）とすると、５００ｍのメタリックケーブルを往復するのにかかる時間は約５μｓｅｃとなる。ＦＩＲフィルタ６１のサンプリングクロックが１０ＭＨｚ（＝０．１μｓｅｃ）とすると、フィルタ段数は約５０段とすればよいことになる。
【００７１】
なお、ここではフィルタ係数を決定するための適応アルゴリズムとして、ＬＭＳアルゴリズムを用いた場合について説明したが、正規化ＬＭＳアルゴリズム、ＲＬＳ（Recursive Least Squares：再帰形最小二乗）アルゴリズム、ＳＭＩ（Sample Matrix Inversion：サンプル行列逆転）アルゴリズムなど他のアルゴリズムを用いてもよい。
【００７２】
図１０は、図２に示した光伝送装置１３において上り方向のｘＤＳＬ信号に混入するエコー信号について説明するための図である。図１０において、エコー信号は、ハイブリッド回路４４を介して上り方向のｘＤＳＬ信号に直接混入する回り込み成分と、ｘＤＳＬ端末側装置１４で反射して戻ってきた後にハイブリッド回路４４を介して上り方向のｘＤＳＬ信号に混入する反射成分とを含む。
【００７３】
エコーキャンセラ４７は、電源投入時やリセット時などにエコー信号を予め算出する。その算出結果に基づいて、減算器４８によってエコー信号が除去される。
【００７４】
図１１は、エコーキャンセラ４７の構成を示すブロック図である。図１１において、エコーキャンセラ３７は、ＦＩＲフィルタ８１および適応アルゴリズム計算器８２を含む。適応アルゴリズム計算器８２は、フィルタ係数決定部８３、トレーニング信号発生部８４、記憶部８５および減算器８６で構成される。また、光／電気変換器４１の出力部にスイッチ回路ＳＷ２が設けられる。ＦＩＲフィルタ８１は、図７に示したＦＩＲフィルタ６１と同様の構成である。
【００７５】
スイッチ回路ＳＷ２は、電源投入時やリセット時などのトレーニングモードにおいて、トレーニング信号発生部８４からのトレーニング信号をデジタル／アナログ変換器４２およびＦＩＲフィルタ８１に伝達する。また、このスイッチ回路ＳＷ２は、光／電気変換器４１からの下り方向のｘＤＳＬ信号を遮断する。これにより、通信リンクが切断される。
【００７６】
ここで、ｘＤＳＬ端末側装置１４は、通信リンクが切断されると、自動的に初期化信号（ハンドシェイク信号）発信し始める。そして、ｘＤＳＬ局側装置１１からの応答がくるまで初期化信号を発信し続けてしまう。この初期化信号は、トレーニングモードにおいてフィルタ係数を決定する際にノイズ（雑音）となる。そこで、この初期化信号のノイズを除去するために記憶部８５および減算器８６が設けられる。記憶部８５および減算器８６は、ノイズ除去部を構成する。
【００７７】
ｘＤＳＬ端末側装置１４は、トレーニングを行なう前にトレーニング準備期間を必要とする。トレーニング準備期間において、フィルタ係数決定部８３およびトレーニング信号発生部８４の動作を停止させた状態で、ｘＤＳＬ端末側装置１４からの初期化信号を観測する。記憶部８５は、この初期化信号のデータを予め記憶する。
【００７８】
初期化信号は、正弦波（sine wave）が２〜３つ合成された信号である。各正弦波は、４．３１２５ｋＨｚの整数倍の周波数を有する。したがって、２３１．８８４μｓｅｃ（＝１／４．３１２５ｋＨｚ）分の初期化信号を観測すればよい。ただし、観測精度を高くするために、２３１．８８４μｓｅｃの複数倍の時間、初期化信号を観測してもよい。ここで、初期化信号は減算器４８から出力される信号ｅ（ｎ）として観測される。
【００７９】
トレーニング準備期間が終了すると、フィルタ係数決定部８３およびトレーニング信号発生部８４を動作させる。フィルタ係数決定部８３は、トレーニング信号発生部８４にトレーニング信号の発生を指示する。これに応じて、トレーニング信号発生部８４は、トレーニング信号ｘ（ｎ）を生成する。そして、このトレーニング信号ｘ（ｎ）の回り込み成分と反射成分が合成されたエコー信号ｄ（ｎ）を観測する。
【００８０】
フィルタ係数決定部８３は、ＬＭＳアルゴリズムなどの適応アルゴリズムを用いて、フィルタ係数ｗi（ｎ）を決定する。ＦＩＲフィルタ８１は、決定されたフィルタ係数ｗi（ｎ）に基づいて、擬似エコー信号ｙ（ｎ）を生成する。減算器４８は、エコー信号ｄ（ｎ）から擬似エコー信号ｙ（ｎ）を減算し、残留エコー信号ｅ（ｎ）を出力する。エコーキャンセラ４７は、この残留エコー信号ｅ（ｎ）が最小になるようにフィルタ係数ｗi（ｎ）を決定する。
【００８１】
ただし、フィルタ係数ｗi（ｎ）を決定する際、フィルタ係数決定部８３は、記憶部８５に予め記憶した初期化信号のデータを出力するように指示する。減算器８６は、残留エコー信号ｅ（ｎ）から初期化信号の成分を減算した信号をフィルタ係数決定部８３に与える。これにより、フィルタ係数を決定する際にノイズとなる初期化信号が除去される。
【００８２】
なお、デジタル／アナログ変換器４２、アナログ／デジタル変換器４６、ＦＩＲフィルタ８１、フィルタ係数決定部８３、トレーニング信号発生部８４および記憶部８５は、図示しない水晶発振器から生成されるサンプリングクロック信号にすべて同期して動作する。このように同期を合わせることによって、エコーキャンセラ４７は適切なタイミングで動作する。
【００８３】
このようにして決定されたフィルタ係数ｗi（ｎ）を用いて、擬似エコー信号ｙ（ｎ）が生成される。トレーニングモード終了後、データ通信を行なうデータ通信モードに切替えられる。データ通信モードでは、フィルタ係数決定部８３、トレーニング信号発生部８４、記憶部８５および減算器８６の動作が停止される。
【００８４】
スイッチ回路ＳＷ２は、データ通信モードにおいて、光／電気変換器４１からの下り方向のｘＤＳＬ信号をデジタル／アナログ変換器４２およびＦＩＲフィルタ８１に伝達する。ＦＩＲフィルタ８１は、トレーニングモードにおいてフィルタ係数決定部８３によって決定されたフィルタ係数ｗ0（ｎ）〜ｗLw-1（ｎ）を用いて、擬似エコー信号ｙ（ｎ）を生成する。減算器４８は、アナログ／デジタル変換器４６からの上り方向のｘＤＳＬ信号から擬似エコー信号ｙ（ｎ）を減算する。これにより、アナログ／デジタル変換器４６からの上り方向のｘＤＳＬ信号に混入したエコー信号が除去される。
【００８５】
したがって、この一実施の形態では、オーバーラップ・ｘＤＳＬ方式を用いた光ファイバ伝送システムにおいて、光伝送装置１２，１３の内部にエコーキャンセラ３７，４７を設けたことによって、通信品質の劣化が防止される。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８７】
【図１】この発明の一実施の形態による光ファイバ伝送システムの概略構成を示すブロック図である。
【図２】図１に示したｘＤＳＬ局側装置、光伝送装置およびｘＤＳＬ端末側装置の構成を示すブロック図である。
【図３】オーバーラップ・ＡＤＳＬ方式の周波数割当てについて説明するための図である。
【図４】図２に示した光伝送装置１２において下り方向のｘＤＳＬ信号に混入するエコー信号について説明するための図である。
【図５】図４に示したエコーキャンセラの構成を示すブロック図である。
【図６】トレーニング信号ｘ（ｎ）に対するインパルス応答を示す図である。
【図７】図５に示したＦＩＲフィルタの構成を示すブロック図である。
【図８】数式（３）を用いて決定されるフィルタ係数ｗi（ｎ）を示す図である。
【図９】データ通信モードにおけるエコーキャンセラの動作について説明するためのブロック図である。
【図１０】図２に示した光伝送装置１３において上り方向のｘＤＳＬ信号に混入するエコー信号について説明するための図である。
【図１１】図１０に示したエコーキャンセラの構成を示すブロック図である。
【図１２】オーバーラップ・ｘＤＳＬ方式を用いた従来の伝送システムの構成を示すブロック図である。
【図１３】通信経路の一部区間が光ファイバ化された従来の光ファイバ伝送システムの構成を示すブロック図である。
【符号の説明】
【００８８】
１  電話事業者局、２  リモートターミナル、３  加入者宅、１１，１０１  ｘＤＳＬ局側装置、１２，１３，１３１，１３２  光伝送装置、１４，１０２  ｘＤＳＬ端末側装置、１５  パソコン、２１，３２，４２，５１，１１１，１１２，１４２，１５２  デジタル／アナログ変換器、２２，２４，３３，３５，４３，４５，５２，５４，１１２，１１４，１２２，１２４，１４３，１４５，１５３，１５５  バッファ回路、２３，３４，４４，５３，１１３，１２３，１４４，１５４  ハイブリッド回路、２５，３６，４６，５５，１１５，１２５，１４６，１５６  アナログ／デジタル変換器、２６，３７，４７，５６，１１６，１２６  エコーキャンセラ、２７，３８，４８，５７，８６，１１７，１２７  減算器、３１，４１，１４１，１５１  光／電気変換器、３９，４９，１４７，１５７  電気／光変換器、６１，８１  ＦＩＲフィルタ、６２，８２  適応アルゴリズム計算器、６３，８３  フィルタ係数決定部、６４，８４  トレーニング信号発生部、７１  遅延素子、７２  乗算器、７３  加算器、８５  記憶部。
【図１】
2006196999.tif 000005
【図２】
2006196999.tif 000006
【図３】
2006196999.tif 000007
【図４】
2006196999.tif 000008
【図５】
2006196999.tif 000009
【図６】
2006196999.tif 000010
【図７】
2006196999.tif 000011
【図８】
2006196999.tif 000012
【図９】
2006196999.tif 000013
【図１０】
2006196999.tif 000014
【図１１】
2006196999.tif 000015
【図１２】
2006196999.tif 000016
【図１３】
2006196999.tif 000017